【手続補正書】
【提出日】平成23年11月2日(2011.11.2)
【手続補正１】
【補正対象書類名】特許請求の範囲
【補正対象項目名】全文
【補正方法】変更
【補正の内容】
【特許請求の範囲】
【請求項１】
任意のユーザがログイン済みの状態において別のユーザが多重にログインすることが可能な画像処理装置であって、
前記画像処理装置が備える機能を実行する時に、当該画像処理装置に
ログイン済みのユーザ数が単数である場合、前記機能の実行者として該ログイン済みのユーザを選択する第１の選択手段と、
前記画像処理装置が備える機能を実行する時に、当該画像処理装置にログイン済みのユーザ数が複数である場合、前記機能の実行者としてのユーザをログイン済みのユーザの中からユーザに選択させる第２の選択手段と、
を備えたことを特徴とする画像処理装置。
【請求項２】
ログイン済みのユーザ数が複数であっても、前記機能を使用する権限を持つユーザ数が単数であった場合は、前記第２の選択手段においてログイン済みのユーザの中からユーザに選択させることなく、当該機能の実行者として前記権限を持つユーザを自動的に選択することを特徴とする請求項１に記載の画像処理装置。
【請求項３】
画像処理装置であって、
前記画像処理装置が備える特定の機能を使用可能にするためにユーザ認証を行う認証手段と、
前記認証手段によって認証されたユーザの権限に従って前記特定の機能を使用可能にする制御手段と、
前記画像処理装置に特定のユーザがログインしている状態か否かを判断する判断手段と、
を有し、
前記判断手段によって前記特定のユーザがログインしている状態ではないと判断された場合、前記認証手段によるユーザ認証の実行を許可し、
前記判断手段によって前記特定のユーザがログインしている状態であると判断された場合、前記認証手段によるユーザ認証の実行を制限することを特徴とする画像処理装置。
【請求項４】
前記特定のユーザは、ユーザ個別に割り当てられたユーザ名又はメールアドレスを持つユーザであり、前記特定のユーザ以外のユーザは、ユーザ個別に割り当てられたユーザ名とメールアドレスを持たないユーザであることを特徴とする請求項３に記載の画像処理装置。
【請求項５】
前記特定の機能は、コピー機能、ファックス機能、ネットワーク管理機能の少なくとも何れかであることを特徴とする請求項３又は４に記載の画像処理装置。
【請求項６】
前記画像処理装置の機能を実行中に、当該機能の実行者としてのユーザを表示する表示手段を備えたことを特徴とする請求項１乃至５のいずれか一項に記載の画像処理装置。
【請求項７】
任意のユーザがログイン済みの状態において別のユーザが多重にログインすることが可能な画像処理装置の制御方法であって、
前記画像処理装置が備える機能を実行する時に、当該画像処理装置にログイン済みのユーザ数が単数である場合、前記機能の実行者として該ログイン済みのユーザを選択する第１の選択工程と、
前記画像処理装置が備える機能を実行する時に、当該画像処理装置にログイン済みのユーザ数が複数である場合、前記機能の実行者としてのユーザをログイン済みのユーザの中からユーザに選択させる第２の選択工程と、
を備えたことを特徴とする画像処理装置の制御方法。
【請求項８】
画像処理装置の制御方法であって、
前記画像処理装置が備える特定の機能を使用可能にするためにユーザ認証を行う認証工程と、
前記認証工程によって認証されたユーザの権限に従って前記特定の機能を使用可能にする制御工程と、
前記画像処理装置に特定のユーザがログインしている状態か否かを判断する判断工程と、
を有し、
前記判断工程によって前記特定のユーザがログインしている状態ではないと判断された場合、前記認証工程によるユーザ認証の実行を許可し、
前記判断工程によって前記特定のユーザがログインしている状態であると判断された場合、前記認証工程によるユーザ認証の実行を制限することを特徴とする画像処理装置の制御方法。
【請求項９】
請求項７に記載の画像処理装置の制御方法をコンピュータにより実行させるためのコンピュータで読み取り可能なプログラム。
【請求項１０】
請求項８に記載の画像処理装置の制御方法をコンピュータにより実行させるためのコンピュータで読み取り可能なプログラム。
【手続補正２】
【補正対象書類名】明細書
【補正対象項目名】００２１
【補正方法】変更
【補正の内容】
【００２１】
上記目的を達成するために、請求項１に記載の画像処理装置は、任意のユーザがログイン済みの状態において別のユーザが多重にログインすることが可能な画像処理装置であって、前記画像処理装置が備える機能を実行する時に、当該画像処理装置にログイン済みのユーザ数を確認する確認手段と、前記確認手段の確認によりログイン済みのユーザ数が単数である場合、前記機能の実行者として該ログイン済みのユーザを選択する手段と、前記確認手段の確認によりログイン済みのユーザ数が複数である場合、前記機能の実行者としてのユーザをログイン済みのユーザの中からユーザに選択させる選択手段と、を備えたことを特徴とする。
上記目的を達成するために、請求項３に記載の画像処理装置は、画像処理装置であって、前記画像処理装置が備える特定の機能を使用可能にするためにユーザ認証を行う認証手段と、前記認証手段によって認証されたユーザの権限に従って前記特定の機能を使用可能にする制御手段と、前記画像処理装置に特定のユーザがログインしている状態か否かを判断する判断手段と、を有し、前記判断手段によって前記特定のユーザがログインしている状態ではないと判断された場合、前記認証手段によるユーザ認証の実行を許可し、前記判断手段によって前記特定のユーザがログインしている状態であると判断された場合、前記認証手段によるユーザ認証の実行を制限することを特徴とする。
上記目的を達成するために、請求項７に記載の画像処理装置の制御方法は、任意のユーザがログイン済みの状態において別のユーザが多重にログインすることが可能な画像処理装置の制御方法であって、前記画像処理装置が備える機能を実行する時に、当該画像処理装置にログイン済みのユーザ数が単数である場合、前記機能の実行者として該ログイン済みのユーザを選択する第１の選択工程と、前記画像処理装置が備える機能を実行する時に、当該画像処理装置にログイン済みのユーザ数が複数である場合、前記機能の実行者としてのユーザをログイン済みのユーザの中からユーザに選択させる第２の選択工程と、を備えたことを特徴とする。
上記目的を達成するために、請求項８に記載の画像処理装置の制御方法は、画像処理装置の制御方法であって、前記画像処理装置が備える特定の機能を使用可能にするためにユーザ認証を行う認証工程と、前記認証工程によって認証されたユーザの権限に従って前記特定の機能を使用可能にする制御工程と、前記画像処理装置に特定のユーザがログインしている状態か否かを判断する判断工程と、を有し、前記判断工程によって前記特定のユーザがログインしている状態ではないと判断された場合、前記認証工程によるユーザ認証の実行を許可し、前記判断工程によって前記特定のユーザがログインしている状態であると判断された場合、前記認証工程によるユーザ認証の実行を制限することを特徴とする。
【手続補正３】
【補正対象書類名】明細書
【補正対象項目名】００２２
【補正方法】削除
【補正の内容】
【手続補正４】
【補正対象書類名】明細書
【補正対象項目名】００２３
【補正方法】削除
【補正の内容】
【手続補正５】
【補正対象書類名】明細書
【補正対象項目名】００２４
【補正方法】削除
【補正の内容】
【手続補正６】
【補正対象書類名】明細書
【補正対象項目名】００２５
【補正方法】削除
【補正の内容】
【手続補正７】
【補正対象書類名】明細書
【補正対象項目名】００２６
【補正方法】削除
【補正の内容】